(57)【特許請求の範囲】
【請求項１】
テレビ受信機は、
・チューナ、
・プログラムチャネル位置と送信局識別コードとの割り当てが記憶されたプログラムチャネル位置割り当てメモリ、
・送信局と前記送信局識別コードとの割り当てが記憶された送信局識別メモリ、
・チャネルと前記プログラムチャネル位置との割り当てが記憶されるプログラミングデータ記憶メモリ及び
・マイクロプロセッサ
を有しており、
プログラムチャネル位置を、一回、チャネルに割り当て、
プログラムチャネルの送信局を、ビデオ信号と一緒に伝送される送信局識別コードによって識別し、
前記プログラムチャネル位置、チャネル及び前記送信局識別コードの割当てがメモリに記憶されている、テレビ受信機のプログラミング方法において、
現在の受信チャネル内のビデオ信号から送信局識別コードを読み出すステップと、
前記メモリに記憶された前記プログラムチャネル位置と前記チャネルと前記送信局識別コードとの割り当て関係を参照して、前記現在の受信チャネルと該現在の受信チャネルから読み出された送信局識別コードとの対応関係が変化したか否かを検出するステップと、
前記現在の受信チャネルと該現在の受信チャネルから読み出された送信局識別コードとの対応関係が変化した場合、前記送信局識別コードと前記プログラムチャネル位置割り当てメモリとを使用して、所望の前記送信局の前記現在の受信チャネルを、新たに前記プログラムチャネル位置に割り当てるステップを有するサーチ過程を自動的に制御することを特徴とする方法。
【請求項２】
送信局識別コードは、垂直帰線消去期間内にＶＰＳ信号乃至テレテキスト乃至パケットコードとして含まれていて、チューナを介してマイクロプロセッサを用いて読み出される請求項１記載の方法。
【請求項３】
最初のプログラミングの直ぐ前に、プログラムチャネル位置割り当てコードが決定され、それから、サーチ過程で、受信チャネルが、そのようにして決定されたプログラムチャネル位置に割り当てられる請求項１記載の方法。
【請求項４】
受信チャネルが送信局識別コードを有していない場合、ユーザは、サーチ過程を手動で制御することを要求される請求項１記載の方法。
【請求項５】
複数のプログラム割り当てを、ユーザが選択することができるようにして行う請求項３記載の方法。
【請求項６】
更に、
周波数帯域全体に亘って自動的にサーチを開始するステップと、
各受信チャネルで、信号を短時間復調するステップと、
前記チャネルを識別するステップと、
記憶されたプログラムチャネル位置割り当てを現在の受信チャネルと比較するステップと、
該比較に従って、チューナの周波数を設定するステップ
を有する請求項１記載の方法。
【請求項７】
テレビ受信機がスタンバイ作動状態にあるか、又は、専用のユーザコマンドに基づいて、各ステップを実行する請求項６記載の方法。
【請求項８】
テレビ受信機は、
・チューナ、
・プログラムチャネル位置と送信局識別コードとの割り当てが記憶されたプログラムチャネル位置割り当てメモリ、
・送信局と前記送信局識別コードとの割り当てが記憶された送信局識別メモリ、
・チャネルと前記プログラムチャネル位置との割り当てが記憶されるプログラミングデータ記憶メモリ、及び
・マイクロプロセッサ
を有しており、
プログラムチャネル位置を、一回、チャネルに割り当て、
プログラムチャネルの送信局を、ビデオ信号と一緒に伝送される送信局識別コードによって識別し、
前記プログラムチャネル位置、チャネル及び前記送信局識別コードの割当てをメモリに記憶し、
現在の受信チャネル内のビデオ信号から送信局識別コードを読み出すステップと、
前記メモリに記憶された前記プログラムチャネル位置と前記チャネルと前記送信局識別コードの割り当て関係を参照して、前記現在の受信チャネルと該現在の受信チャネルから読み出された送信局識別コードとの対応関係が変化したか否かを検出するステップと、
前記現在の受信チャネルと該現在の受信チャネルから読み出された送信局識別コードとの対応関係が変化した場合、前記送信局識別コードと前記プログラムチャネル位置割り当てメモリとを使用して、所望の前記送信局の前記現在の受信チャネルを、新たに前記プログラムチャネル位置に割り当てるステップを有するサーチ過程を自動的に制御するテレビ受信機のプログラミング方法を実行するようにプログラミングされたマイクロプロセッサを有するテレビ受信機。
【発明の詳細な説明】
【０００１】
【発明の属する技術分野】
本発明は、テレビ受信機のプログラミング方法であって、前記テレビ受信機は、チューナ、プログラムチャネル位置割り当てメモリ、送信局識別メモリ、プログラミングされたデータの記憶用のメモリ及びマイクロプロセッサを有している方法及びテレビ受信機に関する。
【０００２】
【従来の技術】
受信装置を広帯域ケーブル網で作動しているテレビ視聴者は、ネットワーク業者によって、ケーブルの割り当て、即ち、テレビジョンプログラムとケーブルチャネルとの配属が変更されるという場面に直面することが屡々あるように思われる。このような措置は、ネットワーク業者が、法律上の理由から、又は、メディアポリシーの観点から、そのプログラムの提供を変更しなければならない場合には、そのネットワーク業者にとっては常に必要な措置である。これにより、一般的には、テレビジョンプログラムを除いたり、加えたりし、その際、実際のチャネル割り当てを変更する必要がある。
【０００３】
この結果、テレビ視聴者は、日刊紙又は直接ネットワーク業者から新たなチャネルの割り当てについての情報を入手して、そのプログラムチャネル位置をテレビ受信機に新たにプログラミングし直す必要がある。このような事態は、テレビ視聴者にとっては不満であることが屡々である。と言うのは、このテレビ視聴者は、一般的には、所定の送信局を、そのテレビ視聴者が知っているプログラムチャネル位置下で遠隔操作することは最早できないからである。殊に、メモリチャネル位置のプログラミングをさほど確実に行うことができないテレビ視聴者にとっては、所望の送信局をサーチすることは労多くして時間の掛かることである。
【０００４】
要するに、ネットワーク業者がケーブル割り当て、即ち、テレビプログラムとケーブルチャネルとの配属関係を変更することは知られており、この結果、テレビ視聴者にとっては、日刊紙又は直接ネットワーク業者から、新たなケーブル割り当てに関しての情報を入手して、続いて、そのプログラムチャネル位置をテレビ受信機に新たにプログラミングする必要がある。
【０００５】
【発明が解決しようとする課題】
本発明の課題は、テレビ受信機の簡単なプログラミング方法及びテレビ受信機を提供することにある。
【０００６】
【課題を解決するための手段】
この課題は、本発明によると、現在の受信チャネル内のビデオ信号から送信局識別コードを読み出すステップと、識別された受信チャネルを、記憶されているプログラムチャネル位置割り当て及び送信局識別コード割り当てと比較するステップと、送信局の、チャネルへの割り当てが変わった場合、当該の割当てが変わった前記チャネルでの所望の送信局を、新たにプログラムチャネル位置に割り当てるために、送信局の識別用に送信局識別コードを使用して、サーチ過程を自動的に制御するステップを有することによって解決される。並びに、テレビ受信機は、チューナ、プログラムチャネル位置割り当てメモリ、送信局識別メモリ、プログラミングされたデータの記憶用のメモリ及びマイクロプロセッサを有しており、プログラムチャネル位置を、一回、チャネルに割り当て、プログラムチャネルの送信局を、ビデオ信号と一緒に伝送される送信局識別コードによって識別し、プログラムチャネル位置の割当て、チャネル及び送信局識別コードをメモリに記憶する際に、現在の受信チャネル内のビデオ信号から送信局識別コードを読み出すステップと、識別された受信チャネルを、記憶されているプログラムチャネル位置割り当て及び送信局識別コード割り当てと比較するステップと、送信局の、チャネルへの割り当てが変わった場合、当該の割当てが変わったチャネルでの所望の送信局を、新たにプログラムチャネル位置に割り当てるために、送信局の識別用に送信局識別コードを使用して、サーチ過程を自動的に制御するステップを有するテレビ受信機のプログラミング方法を実行するようにプログラミングされたマイクロプロセッサを有するテレビ受信機によって解決される。
【０００７】
【発明の実施の形態】
本発明の有利な実施例は、従属請求項に記載されている。
【０００８】
本発明の方法は、更に、送信局識別コードは、垂直帰線消去期間内にＶＰＳ信号乃至テレテキスト乃至パケットコードとして含まれていて、チューナを介してマイクロプロセッサを用いて読み出されるということを特徴としている。
【０００９】
送信局識別コードは、有利には、垂直帰線消去期間内に一緒に伝送される。と言うのは、垂直帰線消去期間内では、画像に何ら障害として現れないからである。また、送信局識別コードを画像と一緒に伝送してもよい。
【００１０】
この方法は、最初のプログラミングの直ぐ前に、プログラムチャネル位置割り当てコードが決定され、それから、サーチ過程で、受信チャネルが、そのようにして決定されたプログラムチャネル位置に割り当てられるということによって特徴付けられる。
【００１１】
この際、有利には、サーチ過程、つまり、今のところ通常であるように、一方のチャネルをテレビ受信機の他のチャネルに記憶し、それから、ユーザがプログラムを書き換えて、所望の順序で送信局を所与のプログラムチャネル位置に割り当てるというサーチ過程を必要としない。この場合、先ず、どのプログラムチャネル位置に相応の送信局が所望とされているのか示し、それから、サーチ過程を開始することができる。初めからユーザの意図通りにプログラミングされるから、この方法は非常に有利である。
【００１２】
このようにして、テレビジョン装置の製造時に予備調整を行い、その結果、ユーザに標準的な送信局順序が提供され、従って、この作業を除くことができるようにしてもよい。更に、複数の標準的なプログラムチャネル位置の位置を設け、その中から、ユーザが選定することができるようにしてもよい。
【００１３】
例えば、
１．  所与のプログラムチャネル位置：
プログラムチャネル位置１−ＡＲＤ，
プログラムチャネル位置２−ＺＤＦ，
プログラムチャネル位置３−Ｎ３等。
【００１４】
２．  所与のプログラムチャネル位置：
プログラムチャネル位置１−Ｐｒｏ７，
プログラムチャネル位置２−ＲＴＬ，
プログラムチャネル位置３−ＳＡＴ１等。
【００１５】
３．  所与のプログラムチャネル位置：
プログラムチャネル位置１−子供用チャネル，
プログラムチャネル位置２−アニメ  ネットワーク，
プログラムチャネル位置３−ＳＵＰＥＲ  ＲＴＬ等。
【００１６】
ユーザは、例えば、プログラムの提供後、最も良いプログラムチャネル位置の配属の分類を選定することができる。
【００１７】
本発明の方法は、受信チャネルが送信局識別コードを有していない場合、ユーザは、サーチ過程を手動で制御することを要求されることによって特徴付けられる。
【００１８】
この際、有利には、送信局識別コードはなく、テレビはユーザの手動による制御に任される。
【００１９】
テレビ受信機は、手段が、垂直帰線消去期間内にＶＰＳ信号乃至テレテキスト乃至パケットコードとして含まれている送信局識別コードを、チューナを介してマイクロプロセッサを用いて読み出すように構成されていることを特徴としている。
【００２０】
本発明のテレビ受信機は、手段が、最初のプログラミングの直ぐ前に、プログラムチャネル位置割り当てコードを記憶し、それから、サーチ過程で、受信チャネルを、そのようにして決定されたプログラムチャネル位置に割り当てるように構成されていることを特徴としている。
【００２１】
本発明のテレビ受信機は、手段は、受信チャネルが送信局識別コードを有していない場合、ユーザが、サーチ過程を手動で制御することを要求されるように作動することを特徴としている。
【００２２】
以下の実施例では、受信チャネルの切換時にさえ、常に、この受信チャネルのプログラムチャネル位置を確実に割り当てる別の方法が記載されている。この技術思想の構成要素は、テレビ受信機の受信チャネルの周期的なインタロゲートにある。このために、自動サーチ過程を行うテレビ受信機のチューナは、帯域全体をチューニングし、各受信チャネルで、信号を短時間復調する。復調された信号は、続いてマイクロプロセッサに伝送され、このマイクロプロセッサは、送信局に含まれている送信局識別コードに基づいて受信チャネル、例えば、ＡＲＤ，ＺＤＦ，又はＲＴＬを識別する。
【００２３】
マイクロプロセッサは、プログラムチャネル位置の割り当てと受信チャネルとの実際の対応関係を検出して、見つけたデータをメモリに記憶する。マイクロプロセッサは、このテーブルを、ユーザによって定義されたプログラムチャネル位置の割り当てと比較し、そのようにして常に、受信チャネルを所定のプログラムチャネル位置に割り当てる。それから、マイクロプロセッサは、プログラムチャネル位置割り当てを実際に受信されたチャネルと比較し、チューナの同調周波数を当該チャネルに調整する。
【００２４】
サーチ過程は、テレビ受信機がスタンバイ作動状態にある期間中に実行されるようにするとよい。更に、プログラムチャネル位置割り当てを、ボタンを押すことによって行うようにしてもよい。この手段は、例えば、携帯用テレビ受信機では、違った場所で作動することが屡々あるから、有意義である。この際、前述の方法は、ケーブルネットワークでの作動に適しているのみならず、第１に、地球局受信及び通信衛星受信にとって有利である。
【００２５】
立地点を変えた後、サーチ過程時に、ユーザによって所望の受信チャネルが見つけられない場合には、スクリーン上に、相応のメッセージが現れて、受信されていないチャネルに対して所望のプログラムチャネル位置割り当ては行えないので、ユーザに対して、他のプログラムを選択するように要求される。サーチ過程時に、ユーザによって予めプログラムチャネル位置が設定されていない、新たな受信チャネルが見つけられた場合も同様に行うことができる。この場合、メッセージは、新たに受信されたチャネルを無視するか、又は、新たに受信されたチャネルをユーザテーブル内に一緒に取り込むかどうかを、ユーザに問い合わせる内容にするとよい。
【００２６】
【実施例】
以下、本発明について、図示の実施例を用いて説明する。
【００２７】
図１には、本発明のテレビのブロック接続図が示されている。図１には、チューナＴ、マイクロプロセッサμＰ、メモリＳ、入力ユニットＥ、受信ダイオードＤが示されている。入力ユニットは、図示のように直接テレビ受信機に設けるか、又は、リモートコントロールとして構成してもよい。更に、メモリＳＰが設けられており、このメモリは、製造業者によって予め定められた、自動的なプログラムチャネル位置割り当てを有している。更に、送信局を識別するために、送信局識別メモリＳＫＰが設けられている。このメモリには対比テーブルが記憶されており、この対比テーブルを用いて、マイクロプロセッサは送信局を識別することができる。例えば、マイクロプロセッサがＶＰＳ信号にコード０１７を見つけた場合、マイクロプロセッサは、送信局識別メモリＳＫＰを用いて比較して、例えば、このＶＰＳコード０１７が送信局識別コードＺＤＦに相応するということを検出する。
【００２８】
チューナを介してプログラムが受信された場合、マイクロプロセッサは、種々のメモリ間で共働作業を行なう。先ず、送信局識別メモリＳＫＰを用いて、どの送信局であるのかが検出される。続いて、プログラムチャネル位置割り当てメモリＳＰにおいて、どのプログラムチャネル位置を、その時点で受信された送信局に配属すべきであるのかが決められる。続いて、この情報はメモリＳに記憶される。その時点で受信されたチャネルは、単にプログラムチャネル位置割り当てに配属されているので、このメモリＳをプログラムチャネル位置割り当てメモリＳＰに統合してもよい。
【００２９】
送信局識別メモリＳＫＰを、例えば、プログラムチャネル位置２に送信局識別コード０１７が記憶されているプログラムチャネル位置割り当てメモリＳＰに割り当ててもよい。マイクロプロセッサが受信チャンネルの送信局識別コードを有している場合には、このマイクロプロセッサは、比較を一回だけ行えばよい。
【００３０】
メモリの個別ブロックを単一のメモリに含めて、この単一メモリを、その都度各個別メモリ領域に分割するようにしてもよい。送信局識別メモリを、１つのプログラムに対して複数の送信局識別コードを記憶するようにしてもよく、例えば、ＺＤＦにＶＰＳコード０１７、テレテキスト０３１又はパケットコード２７を記憶するようにしてもよい。この数は、任意に選定してよい。留意すべき点は、各送信局に対して固定的に定めて割り当て、この配属は、送信局が新たに出現した場合に限って行われ、そうでない場合には変更することができないようにされることである。この理由から、この方法は、有利に実行することができる。つまり、新たな送信局が付加されると、このことが認定され、相応のコードをメモリに付加することができる。その結果、この作業を定常的に繰り返す必要はない。
【００３１】
図２には、自動プログラムチャネル位置割り当て用の流れ図が示されている。ユーザがメニューでポイント「自動プログラムチャネル位置割り当て」を選定すると、プログラムはスタートＳＴによって開始する。その後、サーチ過程ＳＬが開始する。サーチ過程が完全に通過すると、プログラムの終了ＥＤに達する。チャンネルが受信されると（ＫＥ）、このチャンネルによって、送信局識別検査ＳＫ？が実行される。送信局識別コードＳＫがあると、自動プログラムチャネル位置割り当てＰＢａが実行される。送信局識別コードＳＫがないと、手動でプログラムチャネル位置割り当てＰＢｍが実行される。手動又は自動で、プログラム全てに対してプログラムチャネル位置割り当てを実行すると、プログラムの終了ＥＤに達する。そうでない場合には、プログラムは再度サーチ過程ＳＬの前から開始される。
【００３２】
図３には、ユーザ定義のプログラムチャネル位置割り当て過程が示されている。図２との相違点は、プログラムの開始ＳＴ後、ユーザがプログラムチャネル位置割り当てを定義する必要がある点だけである（ＰＢ  ＤＥＦ）。これは、ユーザがプログラムをユーザの所望の順番で自由に定義することができるようにするために使用される。
【００３３】
図４には、最初のインストール時か、ユーザがボタンを押した時に呼び出されるメニュー画像が示されている。ユーザは、数字キー（ここには図示していない）１，２，又は３を用いて種々のメニュー点
１−時計の調節、
２−自動プログラムチャネル位置割り当て、及び
３−ユーザ定義のプログラムチャネル位置割り当て
が選定される。
【００３４】
図５及び６には、それぞれキー２又は３が押された際の表示が示されている。
【００３５】
図５には、ユーザが要請するユーザ定義のプログラムチャネル位置割り当て、プログラム名（送信局名とも呼ばれ、この送信局には、それぞれのプログラムチャネル位置が配属されている）が示されている。このプログラムチャネル位置の配属は、例えば、アルファニューメリックキー（ここには図示していない）を用いて行うことができるか、又は、ユーザに、種々のプログラムチャネル位置提供者の名前のリスト（ここには図示していない）を提示し、そのリストから、ユーザが、どのプログラムチャネル位置をどのプログラムに割り当てるのか選定することができる。
【００３６】
１つ又は２つのキー（ここには図示していない）にアルファニューメリック記号を設けて、このキーを複数回作動することによって、アルファベットの記号列を順方向又は逆方向にし、操作キーによって相応の文字を選定することもできる。
【００３７】
プログラム名をウィンドウ技術（ここには図示していない）を用いて、画像スクリーン上に表示して、ユーザが所定形式のカーソルを用いて名前を相応のプログラムチャネル位置に順次シフトして入力することができる。その際、実際には、名前は、リストから相応のプログラムチャネル位置に順次シフトして入力される。ユーザがプログラムチャネル位置に相応のプログラムを割り当てた場合、ここには図示していないキーを押すことによってサーチ過程を開始することができる。
【００３８】
図６には、自動プログラムチャネル位置割り当て部が示されている。この特別な場合では、チャンネル１４は、送信局識別コードを有していない。ユーザには、手動によりプログラム名を設定することが要請される（自動的に設定されないので）。ここには図示していないキー「開始」を押すことによって、サーチ過程を続けることができる。
【００３９】
本発明の特性を有している、どの形式のラジオ受信機でも、本発明は用いることができる（実施例には、テレビ受信機に限って説明したが）。
【００４０】
【効果】
本発明の方法によると、テレビ受信機を一回しかプログラミングする必要がないという利点が得られる。その際、既述のように、ネットワーク業者は、ケーブル割り当て、即ち、テレビジョンプログラムとケーブルチャネルとの配属を変える際に、新たなプログラミングを必要としない。他方では、テレビ受信機が、例えば、引っ越し又は休暇によって、或る位置から他の位置に移動した場合、システムが自立的に新たにプログラミングすることは、人工衛星又は地球局での受信時に非常に助かる。
【図面の簡単な説明】
【図１】本発明により構成されたテレビ受信機のブロック接続図
【図２】本発明のテレビ受信機用の流れ図
【図３】本発明のテレビ受信機用の流れ図
【図４】本発明のテレビ受信機用のメニュー画面を示す図
【図５】本発明のテレビ受信機用のメニュー画面を示す図
【図６】本発明のテレビ受信機用のメニュー画面を示す図
【符号の説明】
ＴＶ  テレビ受信機
Ｔ  チューナ
ＳＰ  プログラムチャネル位置割り当てメモリ
ＳＫＰ  送信局識別メモリ
Ｓ  データ記憶用メモリ
μＰ  マイクロプロセッサ
ＥＫ  受信チャネル
ＳＫ  送信局識別コード
Ｐ  プログラムチャネル位置
ＳＬ  サーチ過程
ＶＡ  垂直帰線消去期間
ＰＢ  プログラムチャネル位置割り当てコード
【図１】
0004712917.tif 000002
【図２】
0004712917.tif 000003
【図３】
0004712917.tif 000004
【図４】
0004712917.tif 000005
【図５】
0004712917.tif 000006
【図６】
0004712917.tif 000007